(57)【要約】【課題】  視聴者の嗜好に応じた再生手順で記録媒体に記録された情報を再生する。【解決手段】  ディスク再生装置は、ＤＶＤを識別するためのディスク識別情報に関連付けて、ＤＶＤに記録された情報を再生する手順を定義したプレイリストファイルを複数記憶するパージステントストレージと、装着されたＤＶＤからディスク識別情報を取得するための識別情報取得手段（Ｓ２１）と、取得された識別情報に関連付けてパージステントストレージに記憶された複数のプレイリストファイルのいずれか一つの選択を受け付ける選択受付手段（Ｓ２４）と、選択されたプレイリストに従ってＤＶＤに記録された情報を再生する再生手段（Ｓ２８）と、を備える。【選択図】        図８
2007242196.tif 000002
【特許請求の範囲】
【請求項１】
記録媒体を識別するための識別情報に関連付けて、前記記録媒体に記録された情報を再生する手順を定義したプレイリストを複数記憶する記憶手段と、
装着された記録媒体から該記録媒体の識別情報を取得するための識別情報取得手段と、
前記取得された識別情報に関連付けて前記記憶手段に記憶された複数のプレイリストのいずれか一つの選択を受け付ける選択受付手段と、
前記選択されたプレイリストに従って前記記録媒体に記録された情報を再生する再生手段と、を備えた情報再生装置。
【請求項２】
ネットワークに接続されたコンピュータと通信するための通信手段と、
前記取得された識別情報に対応するプレイリストを、前記ネットワークに接続されたコンピュータから取得して前記記憶手段に記憶するプレイリスト取得手段をさらに備えた、請求項１に記載の情報再生装置。
【請求項３】
記録媒体を識別するための識別情報に関連付けて、前記記録媒体に記録された情報を再生する手順を定義したプレイリストを複数記憶するステップと、
装着された記録媒体から該記録媒体の識別情報を取得するステップと、
前記取得された識別情報に関連付けて記憶された複数のプレイリストのいずれか一つの選択を受け付けるステップと、
前記選択されたプレイリストに従って前記記録媒体に記録された情報を再生するステップとを含む、情報再生方法。
【発明の詳細な説明】
【技術分野】
【０００１】
この発明は情報再生装置および情報再生方法に関し、特に記録媒体に記録された情報を再生する情報再生装置およびそれにより実行される情報再生方法に関する。
【背景技術】
【０００２】
現在、ＨＤ  ＤＶＤ（Ｈｉｇｈ  Ｄｉｆｉｎｉｔｉｏｎ  Ｄｉｇｉｔａｌ  Ｖｅｒｓａｔｉｌｅ  Ｄｉｓｃ）規格が定められ、ＨＤ  ＤＶＤ規格で記録された映像を再生する再生装置の開発が進められている。ＨＤ  ＤＶＤ規格では、ＤＶＤに記録された情報の再生に、プレイリストファイルが用いられる。再生装置は、プレイリストファイルに記述された再生管理情報に従って、ＤＶＤに記録された情報を再生する（例えば、特開２００６−３３０６７号公報）。プレイリストファイルはＨＤ  ＤＶＤ−Ｖｉｄｅｏ規格上、より新しいファイルに更新し、それを再生に使用することが可能である。プレイリストファイルの更新はＡｄｖａｎｃｅｄ  Ａｐｐｌｉｃａｔｉｏｎと呼ばれ、ディスクディストリビュータによって記述されたアプリケーションプログラムが実行されることによって制御される。Ａｄｖａｎｃｅｄ  Ａｐｐｌｉｃａｔｉｏｎはプレイリストファイルの取得先および保存先をＵＲＬ（Ｕｎｉｆｏｒｍ  Ｒｅｓｏｕｒｃｅ  Ｌｏｃａｔｏｒ）で指定する。プレイリストファイルのファイル名は「ＶＰＬＳＴ％％％．ＸＰＬ」もしくは「ＡＰＬＳＴ＆＆＆．ＸＰＬ」（％％％、＆＆＆はそれぞれ０００〜９９９の数字が指定可能）として命名される。ＨＤ  ＤＶＤ−Ｖｉｄｅｏ規格上、例えばＶＰＬＳＴ０００．ＸＰＬよりもＶＰＬＳＴ００２．ＸＰＬの方が新しいプレイリストファイルとして取り扱うように規定されている。再生装置は最新のプレイリストを再生に利用するためにＨＤ  ＤＶＤが装置内に装着されると、ディスク上またはパージステントストレージを検索して、それらのいずれかにプレイリストファイルが存在するかどうかを判断する。検索後、上述したファイル名付与規則に基づいて選定された最新のプレイリストを再生に利用する。
【０００３】
しかしながら、最新のプレイリストのみが再生に用いられるので、ＤＶＤに記録された情報をユーザが加工することができないといった問題があった。
【特許文献１】特開２００６−３３０６７号公報
【発明の開示】
【発明が解決しようとする課題】
【０００４】
この発明は上述した問題点を解決するためになされたもので、この発明の目的の一つは、ユーザの嗜好に応じた再生手順で記録媒体に記録された情報を再生することが可能な情報再生装置を提供することである。
【０００５】
この発明の他の目的は、ユーザの嗜好に応じた再生手順で記録媒体に記録された情報を再生することが可能な情報再生方法を提供することである。
【課題を解決するための手段】
【０００６】
上述した目的を達成するためにこの発明のある局面によれば、情報再生装置は、記録媒体を識別するための識別情報に関連付けて、記録媒体に記録された情報を再生する手順を定義したプレイリストを複数記憶する記憶手段と、装着された記録媒体から該記録媒体の識別情報を取得するための識別情報取得手段と、取得された識別情報に関連付けて記憶手段に記憶された複数のプレイリストのいずれか一つの選択を受け付ける選択受付手段と、選択されたプレイリストに従って記録媒体に記録された情報を再生する再生手段と、を備える。
【０００７】
この局面に従えば、ネットワークに接続された情報再生装置であって、記録媒体を識別するための識別情報に関連付けて、記録媒体に記録された情報を再生する手順を定義したプレイリストが複数記憶されており、装着された記録媒体から該記録媒体の識別情報が取得され、取得された識別情報に関連付けて記憶された複数のプレイリストのいずれか一つの選択が受け付けられると、選択されたプレイリストに従って記録媒体に記録された情報が再生される。このため、ユーザの嗜好に応じた再生手順で記録媒体に記録された情報を再生することが可能な情報再生装置を提供することができる。
【０００８】
好ましくは、ネットワークに接続されたコンピュータと通信するための通信手段と、取得された識別情報に対応するプレイリストを、ネットワークに接続されたコンピュータから取得して記憶手段に記憶するプレイリスト取得手段をさらに備える。
【０００９】
この局面に従えば、取得された識別情報に対応するプレイリストが、ネットワークに接続されたコンピュータから取得されて記憶される。このため、コンピュータで生成されたプレイリストに従って記録媒体に記録された情報を再生させることができる。
【００１０】
この発明の他の局面によれば、情報再生方法は、記録媒体を識別するための識別情報に関連付けて、記録媒体に記録された情報を再生する手順を定義したプレイリストを複数記憶するステップと、装着された記録媒体から該記録媒体の識別情報を取得するステップと、取得された識別情報に関連付けて記憶された複数のプレイリストのいずれか一つの選択を受け付けるステップと、選択されたプレイリストに従って記録媒体に記録された情報を再生するステップとを含む。
【００１１】
この局面によれば、ユーザの嗜好に応じた再生手順で記録媒体に記録された情報を再生することが可能な情報再生方法を提供することができる。
【発明を実施するための最良の形態】
【００１２】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１３】
図１は、本発明の実施の形態の一つにおけるディスク再生装置の全体構成を示す図である。図１を参照して、ディスク再生装置１００は、画像および音声を圧縮符号化した画像データおよび音声データを記録したＤＶＤ２０が装着され、そのＤＶＤ２０から画像データおよび音声データを読み出して画像および音声を再生する。
【００１４】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、パージステントストレージ２８と、プレゼンテーションエンジン３０とを含む。
【００１５】
ＤＶＤ２０は、スピンドルモータ２２によって回転される。サーボ回路２３は、スピンドルモータ２２の回転数、ピックアップ２１のフォーカスサーボおよびトラッキングサーボを制御する。ＤＶＤ２０に記録されたタイトルを再生する場合、ＤＶＤ２０に記録されたデータは、ピックアップ２１により読み取られる。ピックアップ２１は、ＤＶＤ２０で反射した光を受光し、受光した光を光電変換素子により電気信号に変換して、復調部２４に出力する。復調部２４に入力される電気信号は、ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００１６】
システムコントローラ１０は、ナビゲーション情報解析部１１を含む。ナビゲーション情報解析部１１は、読み出し用バッファ２６からデータを読み出し、ナビゲーション情報を解析する。また、システムコントローラ１０は、読み出し用バッファ２６からビデオパケット、オーディオパケット、サブピクチャパケットおよびシステム付加情報がマルチプレックスされたデータを読み出して、デマルチプレクサ（ＤＥＭＵＸ）３１に出力する。また、システムコントローラ１０は、例えば、スマートメディアまたはＵＳＢメモリなどの着脱式のパージステントストレージ２８と接続される。パージステントストレージ２８は、後述するプレイリストを記憶する。
【００１７】
プレゼンテーションエンジン３０は、ＤＥＭＵＸ３１と、ビデオバッファ３２と、サブピクチャバッファ３３と、オーディオバッファ３４と、ビデオデコーダ３５と、バッファ３５Ａと、サブピクチャデコーダ３６と、バッファ３６Ａと、オーディオデコーダ３７と、バッファ３７Ａと、ミキサ３８と、ビデオエンコーダ３９とを含む。ＤＥＭＵＸ３１は、読み出し用バッファ２６から入力されるビデオパケットからヘッダを取り除いたビデオデータをビデオバッファ３２に転送し、サブピクチャパケットからヘッダを取り除いたサブピクチャユニットをサブピクチャバッファ３３に転送し、オーディオパケットからヘッダを取り除いたオーディオデータをオーディオバッファ３４に転送する。オーディオデコーダ３７は、バッファ３７Ａと接続されており、オーディオバッファ３４から読み出したオーディオデータをデコードして、デコードしたデジタルのオーディオデータを出力する。
【００１８】
ビデオデコーダ３５は、バッファ３５Ａと接続されており、ビデオバッファ３２からビデオデータを読出し、ＭＰＥＧ、Ｈ．２６４、またはＶＣ−１Ｅ方式で復号し、復号して得られるビデオデータ（動画像）をミキサ３８に出力する。サブピクチャデコーダ３６は、バッファ３６Ａと接続されており、サブピクチャバッファ３３からサブピクチャユニットを読出し、サブピクチャユニット内のピクセルデータをデコードし、サブピクチャデータを生成する。サブピクチャユニットは、表示されるピクセルデータの表示位置、期間等を制御するテーブルを含む。サブピクチャデコーダ３６は、生成したサブピクチャデータを文字表示期間の間ミキサ３８に出力する。
【００１９】
ミキサ３８は、ビデオデコーダ３５から入力されるビデオデータと、サブピクチャデコーダ３６から入力されるサブピクチャデータとをミキシングして、ミキシングしたデータをビデオエンコーダ３９に出力する。ビデオエンコーダ３９は、ミキシングされたデータを表示用の画像に変換して出力する。
【００２０】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネットに接続されたサーバ１７と通信可能となっている。サーバ１７は、一般的なコンピュータである。サーバ１７に、ＭＰＥＧ規格で圧縮符号化されたデータを蓄積することが可能であり、サーバ１７は、ディスク再生装置１００からの要求により、蓄積したデータを送信する。このため、ディスク再生装置１００は、サーバ１７からデータを受信して、上述したＤＶＤ２０から読み出したデータと同様にして、映像および音声を再生する。
【００２１】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。
【００２２】
表示部１３は、蛍光表示管であり、ディスク再生装置１００の動作状態の表示、操作部１２に入力されたユーザの指示の表示等を行う。なお、蛍光表示管に代えて、または、それとともに液晶表示装置、有機エレクトロルミネッセンスディスプレイまたはＬＥＤ（Ｌｉｇｈｔ  Ｅｍｉｔｔｉｎｇ  Ｄｉｏｄｅ）パネル等を用いてもよい。
【００２３】
図２は、システムコントローラの機能の概要を示す機能ブロック図である。図２を参照して、システムコントローラ１０は、ナビゲーションマネージャ５１と、ネットワークマネージャ５２と、データキャッシュ５３とを含む。ナビゲーションマネージャ５１は、
ユーザからのキー入力やその他操作の入力に従って、ディスク再生装置１００の全体を制御する。ネットワークマネージャ１１は、ＬＡＮインターフェース１５と接続され、サーバ１１等との通信を制御する。ネットワークマネージャ５２は、ＯＳＩ基本参照モデルに則ってプロトコル階層構造が構築されている。具体的には、ネットワークマネージャ５２は、アプリケーション層としてＨＴＴＰ（ＨｙｐｅｒＴｅｘｔ  Ｔｒａｎｓｆｅｒ  Ｐｒｏｔｏｃｏｌ）／ＨＴＴＰＳ（ＨＴＴＰ  Ｓｅｃｕｒｉｔｙ）、トランスポート層としてＴＣＰ（Ｔｒａｎｓｍｉｓｓｉｏｎ  Ｃｏｎｔｒｏｌ  Ｐｒｏｔｏｃｏｌ）、ネットワーク層としてＩＰＶ４（Ｉｎｔｅｒｎｅｔ  Ｐｒｏｔｏｃｏｌ  Ｖｅｒｓｉｏｎ  ４）を実装する。ネットワークマネージャ５２はＨＴＴＰ／ＨＴＴＰＳのプロトコルをＴＣＰ／ＩＰ上で利用しながらサーバ１７と通信し、ダウンロードしたデータをデータキャッシュ５３に保存する。また、ネットワークマネージャ５２は、ＩＣＭＰ（Ｉｎｔｅｒｎｅｔ  Ｃｏｎｔｒｏｌ  Ｍｅｓｓａｇｅ  Ｐｒｏｔｏｃｏｌ）、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）などの機能を実装している。データキャッシュ５３は、ＤＶＤ２０から読み出したデータ、または、ネットワークマネージャが取得したデータを記憶するためのキャッシュメモリである。
【００２４】
図３は、ディスク再生装置１００が接続されるＬＡＮ（Ｌｏｃａｌ  Ａｒｅａ  Ｎｅｔｗｏｒｋ）の一例を示す図である。図３を参照して、ルータ６２に、ディスク再生装置１００と、パーソナルコンピュータ（ＰＣ）７１と、ノートＰＣ７２とが接続されてＬＡＮ６０が形成される。これにより、ディスク再生装置１００と、ＰＣ７１と、ノートＰＣ７２とがルータ６２を介して通信可能となる。また、ルータ６２は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデム６１に接続され、ＡＤＳＬモデム６１は、インターネット１６に接続される。このため、ディスク再生装置１００と、ＰＣ７１と、ノートＰＣ７２とは、インターネット１６に接続されたコンピュータ、例えばサーバ１７と通信可能となる。ここでは、ルータ６１に割り当てられたＩＰアドレスを１９２．１６８．０．１とし、ＰＣ７１に割り当てられたＩＰアドレスを１９２．１６８．０．２とし、ノートＰＣ７２に割り当てられたＩＰアドレスを１９２．１６８．０．３とし、ディスク再生装置１００に割り当てられたＩＰアドレスを１９２．１６８．０．４としている。
【００２５】
図４は、プレイリストファイルの内容の一例を示す図である。図４を参照して、プレイリストファイルは、再生すべき映像ファイルおよび音声ファイルのファイル名と共にタイトルの再生開始時間および終了時間、再生対象となる映像、音声、字幕の属性情報等が、ＸＭＬ（ｅＸｔｅｎｓｉｂｌｅ  Ｍａｒｋｕｐ  Ｌａｎｇｕａｇｅ）で記述したデータを含む。ＸＭＬは、一般のユーザが読み取ることができ、比較的に理解し易いマークアップ言語である。このため、一般的なパーソナルコンピュータで編集プログラムを実行させることにより、プレイリストファイルの内容を容易に編集することができる。
【００２６】
図５は、プレイリスト取得処理の流れの一例を示すフローチャートである。プレイリスト取得処理は、システムコントローラ１０がプレイリスト取得プログラムを実行することにより、システムコントローラ１０により実行される処理である。図５を参照して、ディスク再生装置１００にＤＶＤ２０が装着されるまで待機状態となっており（ステップＳ０１でＮＯ）、ＤＶＤ２０が装着されると処理をステップＳ０２に進める。そして、ＬＡＮ６０に接続されている機器を検索するために、ブロードキャストメッセージ（ＩＣＭＰ  Ｅｃｈｏ  Ｒｅｑｕｅｓｔ）をＬＡＮ６０に送信する（ステップＳ０２）。ブロードキャストメッセージはホストアドレスを変更しつつ、繰り返し送信する。そして、接続されている機器が存在するか否かを判断し（ステップＳ０３）、機器が存在すれば処理をステップＳ０４に進め、機器が存在しなければ処理をステップＳ１２に進める。ブロードキャストメッセージに対するレスポンスを受信したならば、接続された機器が存在するとして処理をステップＳ０４に進め、全てのホストアドレスにおけるブロードキャストメッセージに対するレスポンスを受信しなければ機器が存在しないとして処理をステップＳ１２に進める。
【００２７】
ステップＳ０３で受信したレスポンスのホストアドレス（ＩＰアドレス）を一覧で表示する接続機器一覧画面を生成し、表示する（ステップＳ０４）。接続機器一覧画面は、表示部１３に表示させてもよいし、ビデオエンコーダ３９に出力させてもよい。図６は、接続機器一覧画面の一例を示す図である。図６を参照して、ルータ６１に割り当てられたＩＰアドレス１９２．１６８．０．１と、ＰＣ７１に割り当てられたＩＰアドレス１９２．１６８．０．２と、ノートＰＣ７２に割り当てられたＩＰアドレス１９２．１６８．０．３とが一覧表示される。
【００２８】
図５に戻って、ステップＳ０５では、機器が選択されたか否かを判断する。ユーザがリモコン１４をキー操作して、接続機器一覧画面に表示された接続機器のＩＰアドレスを指示することにより、機器の選択が受け付けられる。機器の選択の受け付け後、ダウンロードするフォルダを選択可能にしてもよい。そして、次のステップＳ０６では、選択された機器に対してＨＴＴＰコネクションを要求する。そして、コネクションが確立したか否かを判断し（ステップＳ０７）、コネクションが確立したならば処理をステップＳ０８に進め、コネクションが確立しなければ処理をステップＳ１２に進める。ステップＳ０８では、プレイリストファイルの取得メッセージを送信する。続いてプレイリストファイル取得が完了したかどうかを判断し（ステップＳ０９）、プレイリストファイルの取得に成功したならば処理をステップＳ１０に進め、失敗したならば処理をステップＳ１２に進める。ステップＳ１２では、エラーメッセージを表示部１３に表示させる、またはビデオエンコーダ３９に出力させる。
【００２９】
ステップＳ１０では、作業完了のメッセージを含む画面を表示部１３に表示させる。また、ビデオエンコーダ３９に出力させるようにしてもよい。そして、ダウンロードしたプレイリストファイルをパージステントストレージ２８の所定の領域に記憶する（ステップＳ１１）。
【００３０】
このように、ディスク再生装置１００でプレイリスト取得処理が実行されると、ＬＡＮ６０に接続されたＰＣ７１またはノートＰＣ７２が記憶するプレイリストファイルが取得されて、パージステントストレージ２８に記憶される。このため、ユーザは、ＰＣ７１またはノートＰＣ７２で編集プログラムを実行させて、プレイリストファイルを編集して、編集後のプレイリストファイルを記憶させておけばよい。
【００３１】
ここで、パージステントストレージ２８の記憶領域について説明する。図７は、パージステントストレージのディレクトリの構造の一例を示す図である。図７を参照して、ルートディレクトリの下位にディレクトリ２０１が配置され、そのディレクトリ名はＨＤ＿ＤＶＤである。ディレクトリ２０１の下位にディレクトリ２０２が、さらにその下位にディレクトリ２０３が配置される。ディレクトリ２０１のディレクトリ名は、ＤＶＤ２０に記録された情報を提供するプロバイダの識別情報ＰｒｏｖｉｄｅｒＩＤであり、ディレクトリ２０３のディレクトリ名は、ＤＶＤ２０に記録された情報を識別するためのＣｏｎｔｅｎｔＩＤである。ディレクトリ２０２およびディレクトリ２０３とのディレクトリ名は、ＤＶＤ２０を識別するためのディスク識別情報である。ＰｒｏｖｉｄｅｒＩＤとＣｏｎｔｅｎｔＩＤとは、ＤＶＤ２０に記録されるＤｉｓｃＩＤ．ＤＡＴファイルに記述されることが可能である。ディレクトリ２０３の下位にプレイリストファイル２０４が配置される。このプレイリストファイル２０４は、プレイリストのディストリビュータ（情報のプロバイダである場合とプロバイダでない場合とがある）が提供するものであり、ディスク再生装置１００がディストリビュータのサーバ１７からダウンロードして、ディレクトリ２０３の下位に配置して記録される。したがって、プレイリストは、コンテンツのプロバイダ別およびコンテンツ別にパージステントストレージ２８に記録される。
【００３２】
ディレクトリ２０３の下位に、ディレクトリ２０５が配置される。ディレクトリ２０５は、ディスク再生装置１００のユーザが指示したプレイリストファイル２０６，２０７を記録するための領域を確保する。プレイリストファイル２０６，２０７は、ディストリビュータが提供するプレイリストファイル２０４とは別のプレイリストファイルである。したがって、プレイリストファイル２０６，２０７は、コンテンツのプロバイダ別およびコンテンツ別に、さらに、ディストリビュータが提供するプレイリストファイル２０６，２０７と区別して配置されて記録される。なお、プレイリストファイル２０６，２０７のファイル名、ファイル拡張子はＨＤ  ＤＶＤ規格において定められる命名規則に即していなくてもよい。
【００３３】
また、ディレクトリ２０３の下位にファイル２０８が配置されて記録される。ファイル２０３は、ディスク再生装置１００がＤＶＤ２０に記録された情報を再生する時に、最新のプレイリストファイルを検索するための情報として利用することが可能である。ファイル２０３は、プレイリストファイル２０４，２０６，２０７をパージステントストレージ２８に記録する時の日時情報、またはプレイリストファイル２０４，２０６，２０７をサーバ１７からダウンロードする時の日時情報、プレイリストファイル２０４，２０６，２０７が作成された時の日時情報、プレイリストファイル２０４，２０６，２０７のファイル名などが記述される。
【００３４】
ディレクトリ２１１は、ＤＶＤ２０に記録されるＤｉｓｃＩＤ．ＤＡＴファイルにＰｒｏｖｉｄｅｒＩＤとＣｏｎｔｅｎｔＩＤが記述されていない場合に、ディスク再生装置１００が記憶領域を確保するために生成するディレクトリである。ディレクトリ２１１のディレクトリ名は、任意に定めることができるが、ユニークである必要がある。例えば、ＤＶＤ２０に記録される情報のボリューム名からディレクトリ名を作成するようにすればよい。ディレクトリ２１１のディレクトリ名は、ＤＶＤ２０を識別するためのディスク識別情報である。ディレクトリ２１１の下位には、プレイリストファイル２１２が配置されて記録される。ここでは、プレイリストファイル２１２は、ユーザが作成したプレイリストを記録するファイルとしている。ファイル２１３は、ファイル２０８と同様に、プレイリストファイル２１２に関する情報が記述される。
【００３５】
次に、プレイリストを選択してＤＶＤに記録された情報を再生するプレイリスト選択再生処理について説明する。図８は、プレイリスト選択再生処理の流れの一例を示すフローチャートである。このプレイリスト選択再生処理は、システムコントローラ１０がプレイリスト選択再生プログラムを実行することにより、システムコントローラ１０により実行される処理である。図８を参照して、ユーザが操作部１２を操作して、ディスク再生装置１００に装着されたＤＶＤ２０を再生する指示を入力すると、パージステントストレージ２８に記録されているプレイリストファイルを検索する。ＤＶＤ２０に記録されているＤｉｓｃＩＤ．ＤＡＴファイルにＰｒｏｖｉｄｅｒＩＤとＣｏｎｔｅｎｔＩＤが記述されていれば、それらからディレクトリを特定して、特定したディレクトリの下位に配置されているプレイリストを抽出する。ディストリビュータが提供するプレイリストファイルが複数ある場合には、枝番の大きな最新のプレイリストファイルのみを抽出し、ディストリビュータが提供するのとは別のプレイリストファイルが複数ある場合には、ディストリビュータが提供するのとは別のプレイリストファイルのすべてを抽出する。ＤＶＤ２０に記録されているＤｉｓｃＩＤ．ＤＡＴファイルにＰｒｏｖｉｄｅｒＩＤとＣｏｎｔｅｎｔＩＤが記述されていなければ、それらが記述されていない場合におけるディレクトリの作成規則、例えば、ＤＶＤ２０に記録される情報のボリューム名からディレクトリ名を作成する規則に従ってディレクトリを特定して、特定したディレクトリの下位に配置されているプレイリストファイルを抽出する。ディストリビュータが提供するのとは別のプレイリストファイルが複数ある場合には、ディストリビュータが提供するのとは別のプレイリストファイルのすべてを抽出する。
【００３６】
そして、抽出したすべてのプレイリストファイルのファイル名を一覧表示したリスト表示画面を生成して、表示部１３に表示させる（ステップＳ２３）。また、リスト表示画面をビデオエンコーダ３９に出力させるようにしてもよい。リスト表示画面は、プレイリストファイルのファイル名をファイル名順に並べて表示してもよいし、プレイリストファイルに関連する日時情報の順に並べて表示してもよい。また、ユーザによる指示により、並べ替えの基準を切換え可能にして、表示を切換えるようにしてもよい。さらに、リスト表示画面は、プレイリストファイルのファイル名に加えて、プレイリストファイルに関連してファイル２０８，２１３に記録されている日時情報等を表示してもよい。これにより、ユーザがプレイリストファイルを選択する際の、参考情報を提供することができる。さらに、ディストリビュータが提供するプレイリストファイルが複数ある場合には、枝番の大きな最新のプレイリストファイルだけでなく、枝番が小さな古いプレイリストファイルのファイル名を併せて表示するようにしてもよい。
【００３７】
そして、プレイリストファイルが選択されたか否かを判断する（ステップＳ２４）。ユーザがリモコン１４をキー操作して、リスト表示画面に表示されたプレイリストファイルのファイル名を指示することにより、プレイリストファイルの選択が受け付けられる。プレイリストファイルの選択の受け付け後、選択されたプレイリストファイルの書式および内容が予め定められた規格を満たしているか否かを確認する（ステップＳ２５）。規格を満たしていることが確認されたならば、処理をステップＳ２６に進め、そうでなければ処理をステップＳ２７に進める。ステップＳ２６では、ステップＳ２４で選択されたプレイリストファイルを、再生にしようするプレイリストに設定し、ステップＳ２８に処理を進める。一方、ステップＳ２７では、ＤＶＤ２０に予め記録されているプレイリストファイルを再生に使用するプレイリストに設定し、ステップＳ２８に処理を進める。ＤＶＤ２０に予め記録されているプレイリストファイルよりも新しいプレイリストファイルがパージステントストレージ２８に記憶されていれば、その最新のプレイリストファイルが再生に使用するプレイリストに設定される。そして、ステップＳ２８では、設定されたプレイリストファイルを用いて再生する。
【００３８】
以上説明したように、本実施の形態におけるディスク再生装置１００は、パージステントストレージ２８が、ＤＶＤ２０を識別するためのディスク識別情報に関連付けて、記録媒体に記録された情報を再生する手順を定義したプレイリストファイルを複数記憶する。ディスク識別情報は、ＰｒｏｖｉｄｅｒＩＤおよびＣｏｎｔｅｎｔＩＤを含んでいる。そして、装着されたＤＶＤ２０からディスク識別情報が取得され、取得されたディスク識別情報に関連付けて記憶された複数のプレイリストファイルのいずれか一つの選択が受け付けられると（Ｓ２４でＹＥＳ）、選択されたプレイリストファイルに記述されたプレイリストに従って記録媒体に記録された情報が再生される（ステップＳ２６、Ｓ２８）。このため、ユーザの嗜好に応じた再生手順で記録媒体に記録された情報を再生することができる。
【００３９】
また、取得したディスク識別情報に対応するプレイリストファイルが、ＬＡＮ６０に接続されたＰＣ７１またはノートＰＣ７２から取得されて記憶される。このため、ＰＣ７１またはノートＰＣ７２で生成されたプレイリストファイルに従ってＤＶＤ２０に記録された情報を再生させることができる。
【００４０】
また、ＬＡＮ６０に接続されたＰＣ７１またはノートＰＣ７２の指定が受け付けられると（ステップＳ０５でＹＥＳ）、プレイリストファイルが取得される（ステップＳ０８、Ｓ０９）ので、簡単な操作でプレイリストを取得させることができる。
【００４１】
また、取得したディスク識別情報に関連付けて記憶された複数のプレイリストの一覧を表示する（Ｓ０４）ので、プレイリストの選択操作が容易となる。
【００４２】
なお、上述した実施の形態においては、ディスク再生装置１００について説明したが、ディスク再生装置１００で図５および図８に示した処理を実行させる情報再生方法または情報再生プログラムとして発明を捉えることができるのは言うまでもない。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４４】
＜付記＞
（１）  前記プレイリスト取得手段は、前記ネットワークに接続されたコンピュータの指定を受け付ける指定受付手段を含む、請求項２に記載の情報再生装置。この局面に従えば、ネットワークに接続されたコンピュータの指定が受け付けられる。このため、簡単な操作でプレイリストを取得させることができる。
（２）  前記選択受付手段は、前記取得された識別情報に関連付けて前記記憶手段に記憶された複数のプレイリストの一覧を表示する表示手段を含む、請求項１に記載の情報再生装置。この局面に従えば、取得された識別情報に関連付けて記憶された複数のプレイリストの一覧が表示されるので、プレイリストの選択操作が容易となる。
【図面の簡単な説明】
【００４５】
【図１】本発明の実施の形態の一つにおけるディスク再生装置の全体構成を示す図である。
【図２】システムコントローラの機能の概要を示す機能ブロック図である。
【図３】ディスク再生装置が接続されるＬＡＮの一例を示す図である。
【図４】プレイリストファイルの内容の一例を示す図である。
【図５】プレイリスト取得処理の流れの一例を示すフローチャートである。
【図６】接続機器一覧画面の一例を示す図である。
【図７】パージステントストレージのディレクトリの構造の一例を示す図である。
【図８】プレイリスト選択再生処理の流れの一例を示すフローチャートである。
【符号の説明】
【００４６】
１０  システムコントローラ、１２  操作部、１３  表示部、１４  リモコン、１５  インターフェース、１６  インターネット、１７  サーバ、２０  ＤＶＤ、２１  ピックアップ、２２  スピンドルモータ、２３  サーボ回路、２４  復調部、２５  訂正部、２６  読み出し用バッファ、２８  パージステントストレージ、３０  プレゼンテーションエンジン、３１  ＤＥＭＵＸ、３５  ビデオデコーダ、３６  サブピクチャデコーダ、３７  オーディオデコーダ、３８  ミキサ、３９  ビデオエンコーダ、６０  ＬＡＮ、６１  ＡＤＳＬモデム、６２  ルータ、７１  ＰＣ、７２  ノートＰＣ、１００  ディスク再生装置。
【図１】
2007242196.tif 000003
【図２】
2007242196.tif 000004
【図３】
2007242196.tif 000005
【図４】
2007242196.tif 000006
【図５】
2007242196.tif 000007
【図６】
2007242196.tif 000008
【図７】
2007242196.tif 000009
【図８】
2007242196.tif 000010